(57)【要約】【課題】大量のデータから目的のデータを見つけ易くする。【解決手段】複数のデータファイルの一覧を表示する表示部３０６と、データファイルの属性情報のうちの時間情報を示すスライダバー３０２と、スライダバー上を移動するスライダ３０３とを有するスライダ部と、スライダ又はスライダバーの始点又は終点を設定することにより設定された指定期間に対応する複数のデータファイルの一覧を、データファイルの属性情報の組み合わせで表示部に表示させる表示制御部とを具備する。【選択図】      図３
2006018749.tif 000002
【特許請求の範囲】
【請求項１】
複数のデータファイルの一覧と、前記データファイルの属性情報のうちの時間情報を示すスライダバーと、該スライダバー上を移動するスライダとを表示する表示手段と、
前記スライダ又はスライダバーの始点又は終点を設定することにより、設定された指定期間に対応する複数のデータファイルの一覧を前記表示手段に表示させる表示制御手段と、
を具備することを特徴とする情報処理装置。
【請求項２】
前記表示手段は、前記指定期間のうちの、前記表示手段に表示されているデータファイルの一覧に対応する時間位置を表示するスコープを、前記スライダバー上に表示することを特徴とする請求項１に記載の情報処理装置。
【請求項３】
前記スコープを前記スライダバー上で移動させる移動手段を更に具備することを特徴とする請求項１に記載の情報処理装置。
【請求項４】
前記表示制御手段は、前記表示手段に表示中の複数のデータファイルの一覧を基準として新たに指定された期間に対応する複数のデータファイルの一覧を、前記表示手段に表示させることを特徴とする請求項１に記載の情報処理装置。
【請求項５】
データファイルの属性情報のうちの時間情報を示すスライダバーと、該スライダバー上を移動するスライダとを表示するスライダ表示工程と、
前記スライダ又はスライダバーの始点又は終点を設定することにより設定された指定期間に対応する複数のデータファイルの一覧を表示させる表示制御工程と、
を具備することを特徴とするデータ表示方法。
【請求項６】
前記スライダ表示工程において、前記指定期間のうちの、表示されているデータファイルの一覧に対応する時間位置を示す指標を、前記スライダバー上に表示することを特徴とする請求項５に記載のデータ表示方法。
【請求項７】
前記指標を前記スライダバー上で移動させる移動工程を更に具備することを特徴とする請求項５に記載のデータ表示方法。
【請求項８】
前記表示制御工程では、表示中の複数のデータファイルの一覧を基準として新たに指定された期間に対応する複数のデータファイルの一覧を、新たに表示させることを特徴とする請求項５に記載のデータ表示方法。
【請求項９】
請求項５乃至８のいずれか１項に記載のデータ表示方法をコンピュータに実行させることを特徴とするプログラム。
【請求項１０】
請求項９に記載のプログラムをコンピュータ読み取り可能に記憶したことを特徴とする記憶媒体。
【発明の詳細な説明】
【技術分野】
【０００１】
本発明は、大量のデータから目的のデータを容易に検索できるようにする技術に関するものである。
【背景技術】
【０００２】
従来、多数のデータから所望のデータを探し出すための方法として、それらの多数のデータを一覧表示する方法がある。
【０００３】
この一覧表示する方法の第１の例として、多数のデータのサムネイル画像（縮小画像）を表示する方法が知られている。また、第２の方法として、多数のデータのファイル名等の属性情報をリスト表示する方法が知られている。さらに、第３の方法として、上記の第１及び第２の方法を組み合わせて、サムネイル画像をリスト表示の一属性として表示する方法も知られている。
【特許文献１】特開平１１−３２８２０９号公報
【発明の開示】
【発明が解決しようとする課題】
【０００４】
しかしながら、上記の第１の例では、特に画像データなどでは見た目で探しやすくなるが、データ属性などの詳細情報を同時に見ることはできなかった。
【０００５】
また、第２の例では、データの一覧性、情報量においては優れているが、特に画像データなどでは、直感的に探しにくいという問題があった。
【０００６】
また、第３の例では、小さい画面しか持たない情報端末においては、一度に表示できるデータ数が減少するという問題があった。
【０００７】
従って、本発明は上述した課題に鏡みてなされたものであり、その目的は、大量のデータから目的のデータを見つけ易くすることである。
【課題を解決するための手段】
【０００８】
上述した課題を解決し、目的を達成するために、本発明に係わる情報処理装置は、複数のデータファイルの一覧と、前記データファイルの属性情報のうちの時間情報を示すスライダバーと、該スライダバー上を移動するスライダとを表示する表示手段と、前記スライダ又はスライダバーの始点又は終点を設定することにより、設定された指定期間に対応する複数のデータファイルの一覧を前記表示手段に表示させる表示制御手段と、を具備することを特徴とする。
【０００９】
また、この発明に係わる情報処理装置において、前記表示手段は、前記指定期間のうちの、前記表示手段に表示されているデータファイルの一覧に対応する時間位置を表示するスコープを、前記スライダバー上に表示することを特徴とする。
【００１０】
また、この発明に係わる情報処理装置において、前記スコープを前記スライダバー上で移動させる移動手段を更に具備することを特徴とする。
【００１１】
また、この発明に係わる情報処理装置において、前記表示制御手段は、前記表示手段に表示中の複数のデータファイルの一覧を基準として新たに指定された期間に対応する複数のデータファイルの一覧を、前記表示手段に表示させることを特徴とする。
【００１２】
また、本発明に係わるデータ表示方法は、データファイルの属性情報のうちの時間情報を示すスライダバーと、該スライダバー上を移動するスライダとを表示するスライダ表示工程と、前記スライダ又はスライダバーの始点又は終点を設定することにより設定された指定期間に対応する複数のデータファイルの一覧を表示させる表示制御工程と、
を具備することを特徴とする。
【００１３】
また、この発明に係わるデータ表示方法において、前記指定期間のうちの、表示されているデータファイルの一覧に対応する時間位置を示す指標を、前記スライダバー上に表示することを特徴とする。
【００１４】
また、この発明に係わるデータ表示方法において、前記指標を前記スライダバー上で移動させる移動工程を更に具備することを特徴とする。
【００１５】
また、この発明に係わるデータ表示方法において、前記表示制御工程では、表示中の複数のデータファイルの一覧を基準として新たに指定された期間に対応する複数のデータファイルの一覧を、新たに表示させることを特徴とする。
【００１６】
また、本発明に係わるプログラムは、上記のデータ表示方法をコンピュータに実行させることを特徴とする。
【００１７】
また、本発明に係わる記憶媒体は、上記のプログラムをコンピュータ読み取り可能に記憶したことを特徴とする。
【発明の効果】
【００１８】
本発明によれば、大量のデータから目的のデータを見つけ易くすることが可能となる。
【発明を実施するための最良の形態】
【００１９】
以下、本発明の好適な一実施形態について、図面を参照して詳細に説明する。
【００２０】
図１は、本発明の情報処理装置の一実施形態のハードウェア構成を示すブロック図である。
【００２１】
図１において、１は画像を入力する画像入力部（撮像部）である。２は画像入力部１から入力された画像及び操作のためのユーザＩ／Ｆ（ユーザインターフェース）画像を表示する画像表示部である。１０は装置を操作するためのキーやスイッチを備える操作部である。
【００２２】
３は入出力Ｉ／Ｆ（入出力インターフェース）部であり、画像入出力部１、画像表示部２及び操作部１０と後述するＣＰＵとの信号授受を仲介する。
【００２３】
４はＣＰＵであり、各種処理のための演算、論理判断等を行ない、バス９に接続された各構成要素を制御する。
【００２４】
５はプログラムメモリであり、後述するフローチャートに従った処理手順を含むＣＰＵ４による制御のためのプログラムを格納する。プログラムメモリ５は、ＲＯＭであってもよいし、外部記憶装置などからプログラムがロードされるＲＡＭであってもよい。
【００２５】
６はデータメモリであり、各種処理で生じたデータを格納する。データメモリ６は、例えばＲＡＭとする。
【００２６】
７はファイルＤＢ（データベース）であり、データメモリ上に、入力された複数のファイルデータとして画像データが格納されている。
【００２７】
８は履歴ＤＢ（データベース）であり、データメモリ上に、作業履歴が格納されている。
【００２８】
９は、画像データの画素数と圧縮率の組合せを登録する設定レジスターである。
【００２９】
１０は、ＣＰＵ４の制御の対象とする構成要素を指示するアドレス信号、各構成要素を制御するためのコントロール信号、各構成機器相互間でやりとりされるデータの転送を行うためのバスである。
【００３０】
図２は、本実施形態に係るシステム全体の流れを示す図である。
【００３１】
図２に示されるように、システムが起動されると、ステップＳ２０１において、電源のｏｎ／ｏｆｆが確認され、ｏｆｆで無い場合には、ステップＳ２０２に進み、表示リスト初期値として、ＤＢ（データベース）の全データが表示リストにセットされる。
【００３２】
次に、ステップＳ２０３に進み、画面描画ステップを起動し、図３のような画面を画像表示部２の画面上に表示する。
【００３３】
次に、ステップＳ２０４に進み、イベントがサムネイル画像の選択操作である場合には、ステップＳ２０５に進み、再生ステップを起動し、選択されたサムネイル画像を再生し、ステップＳ２０４に戻る。
【００３４】
ステップＳ２０４において、イベントがページ送りボタン３０７に対する操作によるページ送り操作である場合には、ステップＳ２０６に進み、スコープ始点を９つ進めてステップＳ２０３に戻る。
【００３５】
ステップＳ２０４において、イベントがタイプ選択ボタン３０１に対する操作によるタイプ指定操作である場合には、ステップＳ２０７に進み、表示リスト取得ステップを起動し、表示リストを取得し、ステップＳ２０３に戻る。
【００３６】
ステップＳ２０４において、イベントがスライダ３０３に対するスライダ操作である場合には、ステップＳ２０８に進み、範囲指定ステップを起動し、スライダの始点ポインタと終点ポインタの位置より、時間情報の指定範囲を算出し、ステップＳ２０３に戻る。
【００３７】
ステップＳ２０４において、イベントが、スコープ３０４に対するスコープ操作である場合には、ステップＳ２０９に進み、スコープ指定ステップを起動し、スコープ始点ポインタの位置より、スコープ始点データの時間情報を算出し、ステップＳ２０３に戻る。
【００３８】
ステップＳ２０４においてイベントが、その他の操作である場合にはステップＳ２１０に進み、その他の処理ステップを起動し、ステップＳ２０３に戻る
ステップＳ２０１において電源がｏｆｆだった場合にはステップＳ２１１に進み、システム終了ステップを起動しシステムを終了する。
【００３９】
図３は本実施形態における操作画面の説明図である。
【００４０】
図３のような操作画面において、３０１はタイプ選択ボタンであり、ＤＢ（データベース）に蓄積されているデータから指定のデータタイプを選択する。
【００４１】
３０２はスライダベースであり、現在選択されているデータタイプの全データの持つ時間情報の範囲を示す。
【００４２】
３０３はスライダであり、表示するデータを時間情報に従って範囲指定する。スライダ３０３は、スライダ始点からスライダ終点の間を移動することにより指定の範囲を変更する。
【００４３】
３０４はスコープであり、スライダ３０３で指定された範囲内に含まれるデータより、一画面単位（本実施形態では、例えば９枚）で表示するデータを指定する。スコープ３０４は、スライダ３０３の長さの範囲内で移動させることができ、スコープ３０４を移動することにより表示するデータを変更することができる。スコープ３０４は常に現在画面に表示中のデータのスライダ指定範囲中の位置を示す。画面左上に表示されたサムネイルデータが、スコープ３０４の先頭にあたる。
【００４４】
３０５は、スライダ３０３で指定された時間に関する情報を示す表示部であり、具体的にはスライダ３０３で範囲指定された日時情報と該範囲に存在するデータ数を表示する。３０６はサムネイル表示部であり、スライダ３０３で指定された範囲のうちの、更にスコープ３０４で指定された範囲のデータが現在の画面に表示される。
【００４５】
３０７は、ページ送りボタンであり、サムネイル表示の際に表示され、ボタンを一度選択すると一画面を一ページとして次ページを表示する。
【００４６】
３０８は、現在フォーカスされている（選択対象の）サムネイル画像を示す枠である。
【００４７】
図４は、本実施形態に係る表示リスト取得ステップの流れを示す図である。
【００４８】
図４に示すように、表示リスト取得ステップが起動されると、ステップＳ４００において、表示リストを空にする。
【００４９】
ステップＳ４０１において、現在指定のデータタイプが判別され、データタイプが［画像］だった場合には、ステップＳ４０２に進み、タイプＩＤを１にセットする。
【００５０】
データタイプが［音楽］だった場合には、ステップＳ４０３に進み、タイプＩＤを２にセットする。
【００５１】
データタイプが［文書］だった場合には、ステップＳ４０４に進み、タイプＩＤを３にセットする。
【００５２】
次にステップＳ４０６に進み、処理対象をＤＢリストの先頭にセットする。
【００５３】
続くステップＳ４０７において、ＤＢのリストが終了していない場合には、ステップＳ４０８に進み、タイプＩＤよりデータタイプテーブルの条件を参照し、処理対象リストのデータタイプと一致した場合にはステップＳ４０９に進み、処理対象リストを表示リストに格納する。
【００５４】
続いて、ステップＳ４１０で、処理対象リストを１つ進める。
【００５５】
ステップＳ４０８において、処理対象リストのデータタイプがタイプ条件と一致しない場合には、ステップＳ４１０に進み、処理対象リストを１つ進め、ステップＳ４０７ に戻る。
【００５６】
ステップＳ４０７で、ＤＢのリストが終了している場合には処理を終了する。
【００５７】
ステップＳ４０１で、データタイプが［全て］だった場合には、ステップＳ４０５に進み、データタイプテーブルの条件をnullにセットする（タイプＩＤを０にセットする）。
【００５８】
続いて、ステップＳ４１１で、表示リストにＤＢリストをセットして処理を終了する。
【００５９】
図５は、本実施形態に係る範囲指定ステップの流れを示す図である。
【００６０】
図５に示すように、範囲指定ステップが起動されると、ステップＳ５０１において、処理対象を表示リスト先頭にセットする。
【００６１】
次にステップＳ５０２において、表示リスト先頭とスライダ始点ポインタの時間情報を比較し、一致しない場合には、ステップＳ５０３に進み処理対象リストを１つ進める。一致する場合には、ステップＳ５０４に進み、スライダ始点データに現在の処理対象リストの値をセットする。
【００６２】
次に、ステップＳ５０５で、処理対象リストを１つ進め、続くステップＳ５０６で、現在の処理対象リストとスライダ終点ポインタの時間情報を比較し、一致しない場合には、ステップＳ５０５に戻り処理対象リストを１つ進める。
【００６３】
一致する場合には、ステップＳ５０７に進み、スライダ終点データに現在の処理対象リストの値をセットして、次にステップＳ５０８で。スコープ始点データにスライダ始点データをセットして、処理を終了する。
【００６４】
図６は、本実施形態に係るスコープ指定ステップの流れを示す図である。
【００６５】
図６に示すように、スコープ指定ステップが起動されると、ステップＳ６０１において、スコープ始点データとスライダ始点データを比較する。一致しない場合には、ステップＳ６０２に進み、処理対象リストとスコープ始点ポインタの時間情報を比較し、一致しない場合には、ステップＳ６０４に進み処理対象リストを１つ進める。
【００６６】
ステップＳ６０３で処理対象リストとスコープ始点ポインタの時間情報が一致する場合には、ステップＳ６０５に進み、スコープ始点データに現在の処理対象リストをセットして、処理を終了する。
【００６７】
ステップＳ６０１において、スコープ始点データとスライダ始点データが一致する場合には、以降の処理を行わず、終了する。
【００６８】
図７は、本実施形態に係る画面描画ステップの流れを示す図である。
【００６９】
図７に示すように、画面描画ステップが起動されると、ステップＳ７０１において、スライダベース上の、スライダ始点ポインタからスライダ終点ポインタの間に矩形を描画する。
【００７０】
次にステップＳ７０２において、スコープ終点ポインタに、スコープ始点ポインタから８つ進めたデータの時間情報位置をセットする。
【００７１】
次にステップＳ７０３において、スライダ上の、スコープ始点ポインタからスコープ終点ポインタの間に矩形を描画する。
【００７２】
次に、ステップＳ７０４において、スコープ始点ポインタから一画面分データ（本実施形態では、例えば９個）の画像サムネイルを描画する。
【００７３】
次にステップＳ７０５において、情報表示ステップを起動し、スライダ始点データの時間情報からスライダ終点データまでの時間情報よりスライダによる範囲指定の日時情報と、該範囲に存在するデータ数とを表示して、処理を終了する。
【００７４】
図８は本実施形態において参照されるデータタイプテーブルの例を示す図である。
【００７５】
タイプ指定ボタンにより選択指定されたデータタイプに対応して、表示するサムネイルデータの条件を既定する。
【００７６】
図９は本実施形態において利用される表示リストの例を示す図である。
【００７７】
図１０は本実施形態におけるスライダとデータの関係の詳細説明図である。
【００７８】
図１０に示すように、スライダベース３０２は、現在選択されているデータタイプの全データの持つ時間情報の範囲を示し、これは１０１１に示すような、ＤＢ（データベース）全体より選択された指定のタイプの全データすなわち表示リストのデータと一致する。
【００７９】
スライダベース３０２の左端は、表示リストの先頭データの日時であり、同様に右端は表示リスト末尾データの日時である。
【００８０】
スライダ３０３は、表示するデータを時間情報に従って範囲指定しており、これは １０１２に示すスライダ範囲のデータと一致する。
【００８１】
スライダ３０３は、スライダ始点ポインタ１００３をドラッグ、またはスライダ終点ポインタ１００４をドラッグすることにより指定範囲を変更すると、連動してスライダ始点データ１０１３またはスライダ終点データ１０１４が変化し、スライダ範囲１０１２が変更される 。
【００８２】
スコープ３０４は、スライダ３０３で指定された範囲内に含まれるデータより画面単位で表示するデータを指定する。これは、 １０１５に示すようなスコープ範囲と一致している。本実施形態では一画面に表示するサムネイルデータを９個と既定するものとする。スコープ始点ポインタ１００６の位置と、 １０１６のスコープ始点データとは一致しており、画面にはスコープ始点データ以下の９個のサムネイルデータが表示される。同様に、スコープ終点ポインタ１００７の位置は、スコープ終点データ１０１７に対応している。
【００８３】
スコープ３０４は、常に、現在画面に表示中のデータのスライダ指定範囲内における位置を示し、スコープ３０４を移動させると、連動してスコープ始点データが変更され、画面に表示されるサムネイルデータが変更される。
【００８４】
図１１は本実施形態における操作の流れを説明する画面例を示す図である。
【００８５】
図１１に示すように、１１０１では、画面左下の「タイプ選択ボタン」で、データタイプ［全て］が選択されており、 画面下部でスライダベース３０２全体がスライダ３０３として選択状態にあり、画面上部の指定範囲の日時情報として選択・表示中のデータ、ここでは初期値としてＤＢ上の全データの時間情報範囲として「１９９９/０４/２３〜２００２/０６/１５」が表示されている。スライダ３０３上のスコープは、現在画面に表示されているサムネイルデータの全体における位置を示す。ここでは、初期値として表示リストの先頭から一画面分が画面に表示されており、これを示すスコープ３０４がスライダの左端に表示されている。
【００８６】
１１０２では、タイプ選択ボタンで、データタイプ［画像］が選択されており、 画面下部でスライダベース３０２全体がスライダ３０３として選択状態にあり、画面上部の指定範囲の日時情報として選択・表示中のデータ（ここではＤＢ上の全画像データ）の時間情報範囲として「１９９９/０４/２３〜２００２/０１/２３」が表示されている。
【００８７】
スライダ３０３上のスコープ３０４は、現在画面に表示されているサムネイルデータの全体における位置を示す。ここでは、初期値として表示リストの先頭から一画面分が画面に表示されており、これを示すスコープがスライダの左端に表示されている。
【００８８】
１１０３では、タイプ選択ボタンで、データタイプ［画像］が選択されており、 画面下部でスライダ３０３が範囲指定されており、これに連動し画面上部の指定範囲の日時情報として選択・表示中のデータ（ここではＤＢ上の全画像データのうちスライダ３０３で指定された範囲に存在するもの）の時間情報範囲として「２００１/０３/０４〜２００１/０３/０６」が表示されている。スライダ上のスコープは、現在画面に表示されているサムネイルデータの全体における位置を示す。
【００８９】
以下に、本実施形態について具体的な動作の流れを前述したフローチャートを用いながら説明する。
【００９０】
図１のようなハードウェア構成と、図２のようなシステム構成を持ち、図３のような操作画面構成を持つ小型情報機器において、任意の画像データを探したい場合、例えば「２００１年の冬の終わりに行ったスノーボードの写真」を見たい場合に、図１１に示すような画面操作を行うものとして具体的に説明する。
【００９１】
システムの起動中、特に指示入力の無い場合、表示リストには初期値としてＤＢに存在する全データがセットされる（ステップＳ２０２）。続いて、画面描画ステップであるステップＳ２０３により、図１１の１１０１に示すような画面（データタイプは［全て］が選択されており、スライダ指定は初期値として全期間であり、スコープ指定は初期値として先頭にセットされている）が表示される。
【００９２】
このとき、ステップＳ２０４で入力されたイベントが、指定サムネイルのタップであった場合には、ステップＳ２０５で再生ステップが起動され、サムネイルデータを再生する。すなわち、サムネイルが画像データ（静止画、動画）、音楽・音声データ、文書データであった場合には、画面を切替えて個々のデータに対応した方法で再生を行なう。サムネイルがフォルダであった場合には、内包するサムネイルを表示する。
【００９３】
ここでタイプ指定ボタンを押して［画像］を選択すると、ステップＳ２０７に進み、図４の表示リスト取得ステップを起動する。表示リスト取得ステップが起動されると、ステップＳ４００で表示リストを初期化し、ステップＳ４０１でタイプが判断され、ここでは指定ボタンに［画像］が選択されているので、ステップＳ４０３に進み、タイプＩＤが１にセットされる。
【００９４】
次に、ステップＳ４０６で処理対象がＤＢリストの先頭にセットされると、ステップＳ４０７でＤＢのリストが終了するまで、ステップＳ４０８で図８にあるようなデータテーブルを参照し、この場合、ＩＤ１の条件（*.jpg, *.gif, *.avi, *. png, *.tiffのいずれか）と、現在の処理対象リストのデータタイプが一致する場合にはステップＳ４０９で表示リストに格納する。これをＤＢリストが終了するまで繰り返し、データタイプが［画像］である表示リストを取得する。続いて、ステップＳ２０３で画面描画ステップを起動し、その結果、１１０２に示すような画面が表示される。
【００９５】
１１０２の画面上で、スライダ３０３を動かして範囲指定を行うと、ステップＳ２０８に進み、図５の範囲指定ステップを起動する。範囲指定ステップにおいて、ステップＳ５０２で表示リスト先頭データとスライダ始点ポインタの時間情報の値が比較され、一致した表示リストのデータに、Ｓ５０４でスライダ始点データがセットされ、次に、スライダ始点データとなった表示リストデータ以降のリストについて、ステップＳ５０６でスライダ終点ポインタの時間情報と比較し一致したデータが、Ｓ５０７でスライダ終点データにセットされる。同時にこのとき、ステップＳ５０８でスコープ始点データにスライダ始点データがセットされる。この場合、スコープは初期値として、スライダ始点より描画されることになる。
【００９６】
次に、ステップＳ２０３で画面描画ステップが起動され、画面には範囲指定を示すスライダ３０３と、表示中のサムネイルデータの位置を示すスコープ３０４と、スコープに対応したサムネイルデータ３０６と、図３の３０５にあるような、スライダと連動した情報（範囲指定された日時情報と該範囲に存在するデータ数）が表示される。
【００９７】
ここで、１１０３の画面のように、スコープを指定すると、ステップＳ２０９で図６のスコープ指定ステップが起動され、ステップＳ６０３でスライダ始点データ以降の表示リストとスコープ始点ポインタの時間情報が比較され、Ｓ６０５で一致するリストデータをスコープ始点データとしてセットする。続いて、ステップＳ２０３で画面描画ステップが起動されると、次に、ステップＳ６０６でスコープ始点データより数えて８番目のリストをスコープ終点データとしてセットし、ステップＳ６０７でその時間情報よりスコープ終点ポインタの値がセットされると、ステップＳ７０２でスコープ始点ポインタよりスコープ終点ポインタの位置を計算し、ステップＳ７０３でスコープ始点ポインタからスコープ終点ポインタ間の矩形を描画し、ステップＳ７０４でスコープに対応するサムネイルデータを描画する。
【００９８】
次にステップＳ７０５で、情報表示ステップが起動され、図３の３０５にあるような、スライダと連動した情報（範囲指定された日時情報と該範囲に存在するデータ数）を表示する。その結果、１１０３に示すような画面が表示される。
【００９９】
以上説明したように、上記の実施形態によれば、大量のデータから、目的のデータを一覧表示することができ、また、データタイプの指定と、スライダバーによる範囲指定という簡単な操作の組合せでデータの絞込みを行うことができる。
【０１００】
また、表示画面を切り替えることなくスライダを移動させながらこれに連動するデータを表示することができる。
【０１０１】
またさらに、スライダバー上のスコープ表示により、現在画面に表示されているデータの、指定範囲中での位置を知ることができる、と同時に、スコープをスライダ上で移動させることにより、指定範囲中の任意の範囲に存在するデータを絞り込んで表示することができる。
【０１０２】
更に言い換えれば、データファイル属性の組合せにより条件指定範囲内にあるデータのみを表示し、これを基準に時間情報スケールを変化させて表示するデータを切替えることにより、大量のデータから目的のデータを見つけ易くすることができる。
【０１０３】
また、このようにして絞り込まれたデータより、現在画面に表示されているデータの位置を表示しこれを移動させることで、さらに絞り込んでデータを見つけ易くすることができる。
【０１０４】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０６】
本発明を上記記憶媒体に適用する場合、その記憶媒体には、先に説明した手順に対応するプログラムコードが格納されることになる。
【図面の簡単な説明】
【０１０７】
【図１】本発明の情報処理装置の一実施形態のハードウェア構成を示すブロック図である。
【図２】一実施形態に係る情報処理装置のシステム全体の流れを示す図である。
【図３】一実施形態に係る情報処理装置における操作画面の一例を示す図である。
【図４】一実施形態に係る情報処理装置における表示リスト取得ステップの処理の流れを示す図である。
【図５】一実施形態に係る情報処理装置における範囲指定ステップの処理の流れを示す図である。
【図６】一実施形態に係る情報処理装置におけるスコープ指定ステップの処理の流れを示す図である。
【図７】一実施形態に係る情報処理装置における画面描画処理の流れを示す図である。
【図８】一実施形態に係る情報処理装置において表示リスト取得ステップで参照されるデータタイプテーブルの例を示す図である。
【図９】一実施形態に係る情報処理装置において参照される表示リストの例を示す図である。
【図１０】一実施形態に係る情報処理装置における操作画面で使われるスライダバーと、データの関係を示す図である。
【図１１】一実施形態に係る情報処理装置における操作の流れを説明する画面例を示す図である。
【符号の説明】
【０１０８】
１  画像入力部
２  画像表示部
３  入出力I/F部
４  ＣＰＵ
５  プログラムメモリ
６  データメモリ
７  ファイルＤＢ
８  履歴ＤＢ
９  設定レジスター
１０  バス
【図１】
2006018749.tif 000003
【図２】
2006018749.tif 000004
【図３】
2006018749.tif 000005
【図４】
2006018749.tif 000006
【図５】
2006018749.tif 000007
【図６】
2006018749.tif 000008
【図７】
2006018749.tif 000009
【図８】
2006018749.tif 000010
【図９】
2006018749.tif 000011
【図１０】
2006018749.tif 000012
【図１１】
2006018749.tif 000013